(57)【要約】【課題】異常が発生した映像監視装置から別の映像監視装置に効率よく確実に切換える。【解決手段】映像監視記録装置１３−１は、異常検出部２２ａが制御部２２とＨＤＤ２６の各表面温度とＦＡＮ２８の回転数の異常とのいずれかを検出した場合に、映像監視記録装置１３−２からＬＡＮ使用率を取得し、映像監視記録装置１３−２に制御を引継がせるネットワークカメラ１１−１〜１１−４のフレームレートを調整してネットワーク監視システム全体のＬＡＮ使用率を破綻させることなく、カメラ制御を承継したのち電源制御部２２ｂが電源部２７をスタンバイ状態に切換えるよう構成した。【選択図】図２
2007174501.tif 000002
【特許請求の範囲】
【請求項１】
複数のネットワークカメラと複数の映像監視装置とがネットワークを介してそれぞれ接続され、前記複数のネットワークカメラが複数のカメラグループに区分されて前記各映像監視装置が前記いずれか一のカメラグループを制御するよう構成されたネットワーク監視システムにおいて、
前記各映像監視装置は、
当該映像監視装置が制御するカメラグループに属する一又は複数のネットワークカメラのアドレス情報と撮像のフレームレートと優先順位と所定のフレームレートの範囲内におけるフレームレート毎のデータ伝送にかかるネットワーク使用率とを予め記憶したデータ書換え可能な不揮発性メモリと、
当該映像監視装置内部の所定の異常状態を検出するための異常検出手段と、
前記異常状態が検出された場合に、他の映像監視装置のネットワーク使用率を取得するためのネットワーク使用率要求信号を前記他の映像監視装置に対して送信する一方、他のいずれか一の映像監視装置からネットワーク使用率要求信号を受信した場合に、前記不揮発性メモリに記憶された前記カメラグループに属するネットワークカメラの各フレームレートに対応したネットワーク使用率の合計をネットワーク使用率応答信号として前記他のいずれか一の映像監視装置に対して送信するネットワーク使用率要求応答手段と、
前記不揮発性メモリに記憶された前記カメラグループに属するネットワークカメラの各フレームレートに対応したネットワーク使用率の合計と前記他の映像監視装置から供給されたネットワーク使用率応答信号によるネットワーク使用率の合計との使用率総計が、予め設定された当該ネットワーク監視システム全体のネットワーク使用限界率を越えているか否かを判定するネットワーク使用率判定手段と、
前記使用率総計が前記ネットワーク使用限界率を超えていると判定された場合は、前記不揮発性メモリに記憶された優先順位に応じて、前記カメラグループに属する一のネットワークカメラのフレームレートを下げて前記不揮発性メモリに記憶したのち、前記ネットワーク使用率判定手段によって判定処理をさせて使用率総計が前記ネットワーク使用限界率以下になるまで前記カメラグループに属するネットワークカメラのフレームレートを順次調整するフレームレート調整手段と、
前記フレームレートの調整後に、前記不揮発性メモリに記憶された前記カメラグループに属するネットワークカメラのアドレス情報とフレームレートとをカメラ制御受継要求信号として前記他の映像監視装置に送信する一方、他のいずれか一の映像監視装置からカメラ制御受継要求信号を受信した場合にこの受信信号によるアドレス情報とフレームレートとに基づいて、対応するネットワークカメラのフレームレートの設定を変更して前記他のいずれか一の映像監視装置に対してカメラ制御受継応答信号を送信するカメラ制御受継手段と、
前記カメラ制御受継応答信号を受信した場合に、電源部をスタンバイ状態に切換える電源制御手段と、
を備えたことを特徴とするネットワーク監視システム。
【請求項２】
複数のネットワークカメラと複数の映像監視装置とがネットワークを介してそれぞれ接続され、前記複数のネットワークカメラが複数のカメラグループに区分されて前記各映像監視装置が前記いずれか一のカメラグループを制御するよう構成されたネットワーク監視システムにおける前記映像監視装置において、
当該映像監視装置が制御するカメラグループに属する一又は複数のネットワークカメラのアドレス情報と撮像のフレームレートと優先順位と所定のフレームレートの範囲内におけるフレームレート毎のデータ伝送にかかるネットワーク使用率とを予め記憶したデータ書換え可能な不揮発性メモリと、
当該映像監視装置内部の所定の異常状態を検出するための異常検出手段と、
前記異常状態が検出された場合に、他の映像監視装置のネットワーク使用率を取得するためのネットワーク使用率要求信号を前記他の映像監視装置に対して送信する一方、他のいずれか一の映像監視装置からネットワーク使用率要求信号を受信した場合に、前記不揮発性メモリに記憶された前記カメラグループに属するネットワークカメラの各フレームレートに対応したネットワーク使用率の合計をネットワーク使用率応答信号として前記他のいずれか一の映像監視装置に対して送信するネットワーク使用率要求応答手段と、
前記不揮発性メモリに記憶された前記カメラグループに属するネットワークカメラの各フレームレートに対応したネットワーク使用率の合計と前記他の映像監視装置から供給されたネットワーク使用率応答信号によるネットワーク使用率の合計との使用率総計が、予め設定された当該ネットワーク監視システム全体のネットワーク使用限界率を越えているか否かを判定するネットワーク使用率判定手段と、
前記使用率総計が前記ネットワーク使用限界率を超えていると判定された場合は、前記不揮発性メモリに記憶された優先順位に応じて、前記カメラグループに属する一のネットワークカメラのフレームレートを下げて前記不揮発性メモリに記憶したのち、前記ネットワーク使用率判定手段によって判定処理をさせて使用率総計が前記ネットワーク使用限界率以下になるまで前記カメラグループに属するネットワークカメラのフレームレートを順次調整するフレームレート調整手段と、
前記フレームレートの調整後に、前記不揮発性メモリに記憶された前記カメラグループに属するネットワークカメラのアドレス情報とフレームレートとをカメラ制御受継要求信号として前記他の映像監視装置に送信する一方、他のいずれか一の映像監視装置からカメラ制御受継要求信号を受信した場合にこの受信信号によるアドレス情報とフレームレートとに基づいて、対応するネットワークカメラのフレームレートの設定を変更して前記他のいずれか一の映像監視装置に対してカメラ制御受継応答信号を送信するカメラ制御受継手段と、
前記カメラ制御受継応答信号を受信した場合に、電源部をスタンバイ状態に切換える電源制御手段と、
を備えたことを特徴とする映像監視装置。
【発明の詳細な説明】
【技術分野】
【０００１】
本発明は、ネットワーク監視システム及び映像監視装置に係り、特に映像監視装置に故障になり得る異常が発生した場合における別の映像監視装置への効率的な切換方式に関するものである。
【背景技術】
【０００２】
近年、ネットワーク環境の整備が進み、ネットワークカメラを使用して映像監視を行うネットワーク監視システムが急速に普及している。図９に、ネットワーク監視システムの概略構成例を示す。同図においては、８台のネットワークカメラ９１−１〜９１−８が、ＬＡＮ（Ｌｏｃａｌ  Ａｒｅａ  Ｎｅｔｗｏｒｋ）９２を介して表示装置９３、及び記録装置９４−１，９４−２にそれぞれ接続されている。そして、ネットワークカメラ９１−１〜９１−８で撮像された映像データは、表示装置９３に転送されて８画面分割処理や画面切換処理等によって表示されるとともに、記録装置９４−１及び９４−２にも転送されてそれぞれ内蔵されたハードディスクに記録される。そして、記録装置９４−１及び９４−２に記録された映像は、利用者の操作等によってハードディスクから読み出されて表示装置９３に表示される。
【０００３】
同図の構成をなすネットワーク監視システムにおいては、例えば、記録装置９４−１がネットワークカメラ９１−１〜９１−４からなる第１カメラグループを制御し、記録装置９４−２がネットワークカメラ９１−５〜９１−８からなる第２カメラグループを制御するように構成されることが多い。しかし、このような構成をとった場合において記録装置９４−１が故障した場合に、第１カメラグループの映像データを記録することができなくなる。
【０００４】
また、記録装置９４−１及び９４−２がともにネットワークカメラ９１−１〜９１−８すべての映像データを記録するという記録方式も考えられるが、システム全体のトラフィック量が多くなったり、各記録装置に重複して映像データが記録されるため無駄が生じたりするという問題がある。
【０００５】
さらに、ネットワーク監視システム内に記録装置９４−１及び９４−２の故障を検出するための監視装置を設けておき、この監視装置が記録装置９４−１及び９４−２の一方の故障を検出したときに、他方に運転を切替えて記録させるという方式も知られており、これによって、トラフィック量や記録の無駄を抑えることが可能である。
【０００６】
しかしながら、上記の方式では、故障検出のための監視装置を設置する必要があるためシステムが大掛かりになり且つコスト高である。また、監視装置の故障検出にかかる時間によっては、異常が発生した時刻前後の撮像映像のデータ記録を逃してしまうおそれもありセキュリティ上の問題も有している。
【０００７】
そこで、上記のような問題点を考慮し、複数のバックアップ機器を予め備えておき、障害が発生した一方の機器から正常な他方の機器に切替えて監視の継続を可能とする技術が知られている（例えば、特許文献１を参照）。
【特許文献１】特開２００４−１１２１９１号公報
【発明の開示】
【発明が解決しようとする課題】
【０００８】
しかしながら、特許文献１に開示された技術によれば、機器を複数個ずつ備えて障害発生時に切り替えて使用するため、バックアップ機器は常に動作していない状態であり、システム構成が冗長的でシステム規模やコストの面での問題が残る。
【０００９】
そこで、本発明は上記問題点に鑑みてなされたものであり、その目的は、映像監視装置のバックアップ専用装置への運転切替えといった冗長的なシステム構成をとることなく経済的なシステム構成をとり、且つ映像監視装置にデータ供給が不能になり得る異常が発生した段階でリカバリモードに移行することによって監視映像データを逃さず受信し得る、ネットワーク監視システム及び映像監視装置を提供することである。
【課題を解決するための手段】
【００１０】
上記の課題を解決するために、請求項１に記載の発明は、
複数のネットワークカメラと複数の映像監視装置とがネットワークを介してそれぞれ接続され、前記複数のネットワークカメラが複数のカメラグループに区分されて前記各映像監視装置が前記いずれか一のカメラグループを制御するよう構成されたネットワーク監視システムにおいて、
前記各映像監視装置は、
当該映像監視装置が制御するカメラグループに属する一又は複数のネットワークカメラのアドレス情報と撮像のフレームレートと優先順位と所定のフレームレートの範囲内におけるフレームレート毎のデータ伝送にかかるネットワーク使用率とを予め記憶したデータ書換え可能な不揮発性メモリと、
当該映像監視装置内部の所定の異常状態を検出するための異常検出手段と、
前記異常状態が検出された場合に、他の映像監視装置のネットワーク使用率を取得するためのネットワーク使用率要求信号を前記他の映像監視装置に対して送信する一方、他のいずれか一の映像監視装置からネットワーク使用率要求信号を受信した場合に、前記不揮発性メモリに記憶された前記カメラグループに属するネットワークカメラの各フレームレートに対応したネットワーク使用率の合計をネットワーク使用率応答信号として前記他のいずれか一の映像監視装置に対して送信するネットワーク使用率要求応答手段と、
前記不揮発性メモリに記憶された前記カメラグループに属するネットワークカメラの各フレームレートに対応したネットワーク使用率の合計と前記他の映像監視装置から供給されたネットワーク使用率応答信号によるネットワーク使用率の合計との使用率総計が、予め設定された当該ネットワーク監視システム全体のネットワーク使用限界率を越えているか否かを判定するネットワーク使用率判定手段と、
前記使用率総計が前記ネットワーク使用限界率を超えていると判定された場合は、前記不揮発性メモリに記憶された優先順位に応じて、前記カメラグループに属する一のネットワークカメラのフレームレートを下げて前記不揮発性メモリに記憶したのち、前記ネットワーク使用率判定手段によって判定処理をさせて使用率総計が前記ネットワーク使用限界率以下になるまで前記カメラグループに属するネットワークカメラのフレームレートを順次調整するフレームレート調整手段と、
前記フレームレートの調整後に、前記不揮発性メモリに記憶された前記カメラグループに属するネットワークカメラのアドレス情報とフレームレートとをカメラ制御受継要求信号として前記他の映像監視装置に送信する一方、他のいずれか一の映像監視装置からカメラ制御受継要求信号を受信した場合にこの受信信号によるアドレス情報とフレームレートとに基づいて、対応するネットワークカメラのフレームレートの設定を変更して前記他のいずれか一の映像監視装置に対してカメラ制御受継応答信号を送信するカメラ制御受継手段と、
前記カメラ制御受継応答信号を受信した場合に、電源部をスタンバイ状態に切換える電源制御手段と、
を備えたことを特徴とするネットワーク監視システム
を提供するものである。
【００１１】
請求項２に記載の発明は、
複数のネットワークカメラと複数の映像監視装置とがネットワークを介してそれぞれ接続され、前記複数のネットワークカメラが複数のカメラグループに区分されて前記各映像監視装置が前記いずれか一のカメラグループを制御するよう構成されたネットワーク監視システムにおける前記映像監視装置において、
当該映像監視装置が制御するカメラグループに属する一又は複数のネットワークカメラのアドレス情報と撮像のフレームレートと優先順位と所定のフレームレートの範囲内におけるフレームレート毎のデータ伝送にかかるネットワーク使用率とを予め記憶したデータ書換え可能な不揮発性メモリと、
当該映像監視装置内部の所定の異常状態を検出するための異常検出手段と、
前記異常状態が検出された場合に、他の映像監視装置のネットワーク使用率を取得するためのネットワーク使用率要求信号を前記他の映像監視装置に対して送信する一方、他のいずれか一の映像監視装置からネットワーク使用率要求信号を受信した場合に、前記不揮発性メモリに記憶された前記カメラグループに属するネットワークカメラの各フレームレートに対応したネットワーク使用率の合計をネットワーク使用率応答信号として前記他のいずれか一の映像監視装置に対して送信するネットワーク使用率要求応答手段と、
前記不揮発性メモリに記憶された前記カメラグループに属するネットワークカメラの各フレームレートに対応したネットワーク使用率の合計と前記他の映像監視装置から供給されたネットワーク使用率応答信号によるネットワーク使用率の合計との使用率総計が、予め設定された当該ネットワーク監視システム全体のネットワーク使用限界率を越えているか否かを判定するネットワーク使用率判定手段と、
前記使用率総計が前記ネットワーク使用限界率を超えていると判定された場合は、前記不揮発性メモリに記憶された優先順位に応じて、前記カメラグループに属する一のネットワークカメラのフレームレートを下げて前記不揮発性メモリに記憶したのち、前記ネットワーク使用率判定手段によって判定処理をさせて使用率総計が前記ネットワーク使用限界率以下になるまで前記カメラグループに属するネットワークカメラのフレームレートを順次調整するフレームレート調整手段と、
前記フレームレートの調整後に、前記不揮発性メモリに記憶された前記カメラグループに属するネットワークカメラのアドレス情報とフレームレートとをカメラ制御受継要求信号として前記他の映像監視装置に送信する一方、他のいずれか一の映像監視装置からカメラ制御受継要求信号を受信した場合にこの受信信号によるアドレス情報とフレームレートとに基づいて、対応するネットワークカメラのフレームレートの設定を変更して前記他のいずれか一の映像監視装置に対してカメラ制御受継応答信号を送信するカメラ制御受継手段と、
前記カメラ制御受継応答信号を受信した場合に、電源部をスタンバイ状態に切換える電源制御手段と、
を備えたことを特徴とする映像監視装置
を提供するものである。
【発明の効果】
【００１２】
本発明に係るネットワーク監視システム及び映像監視装置によれば、故障になり得る異常が発生した映像監視装置の運転を正常運転中の別の映像監視装置にシステム全体のネットワーク使用率を破綻させることなく承継することができるので、映像監視装置のバックアップ専用装置を設置するといった冗長的な構成をとることなく経済的なシステムの構築が可能である。
【００１３】
そして、映像監視装置が運転不能になる前の異常を検出した段階で、当該映像監視装置が制御しているネットワークカメラの制御を他の映像監視記録装置に承継することにより、装置切換時の映像データの欠損を生ずることのない運転切換が可能である。
【００１４】
さらに、異常が検出された映像監視装置は、各種設定情報を不揮発性メモリに記憶したのちの運転切換後にスタンバイモードに移行するため、ネットワーク全体のトラフィックの軽減に寄与することができる。
【発明を実施するための最良の形態】
【００１５】
以下、本発明を実施するための最良の形態について、図面を参照して詳細に説明する。まず、本実施形態における、映像監視記録装置を含んだネットワーク監視システムのシステム構成図を図１に示す。同図においては、８台のネットワークカメラ１１−１〜１１−８が、ネットワークであるＬＡＮ１２を介して映像監視記録装置１３−１及び１３−２にそれぞれ接続されている。そして、ネットワークカメラ１１−１〜１１−８で撮像された映像データは、映像監視記録装置１３−１及び１３−２に転送されて記録される。
【００１６】
同図の構成をなすネットワーク監視システムにおいては、映像監視記録装置１３−１がネットワークカメラ１１−１〜１１−４からなる第１カメラグループを制御し、映像監視記録装置１３−２がネットワークカメラ１１−５〜１１−８からなる第２カメラグループを制御するように構成されている。これらの制御は、ＬＡＮ１２を介したパケット通信により実行される。
【００１７】
ネットワークカメラ１１−１〜１１−８は、図示はしないが、レンズ等による光学系と、ＣＣＤ等の光電変換回路を有した撮像部と、ＪＰＥＧ方式やＭＰＥＧ方式等による映像データの符号化部と、ＬＡＮ１２に接続してパケット通信するためのネットワークＩ／Ｆ部とを備えて、撮像した映像データを符号化してＬＡＮ１２にパケット送信することが可能な装置である。
【００１８】
一方、映像監視記録装置１３−１及び１３−２は図２に示すような構成を有する。映像監視記録装置１３−１及び１３−２は同一のハードウェア構成を有しているため、以下、映像監視記録装置１３と表記してその内部構成を説明する。映像監視記録装置１３は、ＬＡＮ１２と接続されてネットワークカメラ１１−１〜１１−８や他の映像監視記録装置との間でパケットデータを送受信するためのネットワークＩ／Ｆ部２１と、当該映像監視記録装置全体を制御するとともに、異常検出部２２ａ及び電源制御部２２ｂを有して後述する異常検出機能及び電源制御機能を処理実行するための制御部２２と、ネットワーク監視システムを制御するための制御プログラムを格納したＲＯＭ２３と、制御部２２がＲＯＭ２３に格納された制御プログラムを処理実行するときに各種データを展開するためのＲＡＭ２４と、後述する各種設定データ等を記憶しておくためのＦｌａｓｈ  ＲＯＭ２５と、符号化された映像データを記録するためのＨＤＤ２６と、制御部２２の制御によってスタンバイ／オン状態の切換えが可能な、映像監視記録装置１３に電圧・電流を供給するための電源部２７と、制御部１３及びＨＤＤ２６を冷却するためのＦＡＮ２８とが、主にデータバス２９を介して接続されている。
【００１９】
上記構成の映像監視記録装置１３は、Ｆｌａｓｈ  ＲＯＭのようなデータ書換え可能な不揮発性メモリを有して、且つネットワーク接続可能なコンピュータにより構成されることが可能であり、その場合、制御部２２はＣＰＵ（Ｃｅｎｔｒａｌ  Ｐｒｏｃｅｓｓｉｎｇ  Ｕｎｉｔ）で構成されることが可能である。
【００２０】
次に、Ｆｌａｓｈ  ＲＯＭ２５に記憶されるデータについて説明する。Ｆｌａｓｈ  ＲＯＭ２５には、図３に示す映像監視記録装置１３の固有の情報、すなわち、映像監視記録装置１３が制御しているネットワークカメラの固有情報が記憶されている。具体的には、映像監視記録装置１３−１においては、同図（ａ）のように第１カメラグループに属するネットワークカメラ１１−１〜１１−４それぞれについてのカメラＩＰアドレスと、撮像のフレームレートと、重要度を示す優先順位と相互に関連付けられて記憶される。また、映像監視記録装置１３−２においては、同図（ｂ）のように第２カメラグループに属するネットワークカメラ１１−５〜１１−８それぞれについてのカメラＩＰアドレスと、撮像のフレームレートと、重要度を示す優先順位とが同様にして記憶される。
【００２１】
さらに、Ｆｌａｓｈ  ＲＯＭ２５には、図４に示す当該映像監視記録装置以外の映像監視記録装置１３の固有の情報が記憶されている。具体的には、映像監視記録装置１３−１においては、同図（ａ）のように映像監視記録装置１３−２についての装置識別子と装置ＩＰアドレスとが記憶さる。また、映像監視記録装置１３−２においては、同図（ｂ）のように映像監視記録装置１３−１についての装置識別子と装置ＩＰアドレスとが記憶される。
【００２２】
さらに、Ｆｌａｓｈ  ＲＯＭ２５には、図５に示す、フレームレート値に対するネットワークカメラ単体におけるＬＡＮ使用率４２の情報も記憶される。そしてさらに、図６に示す制御部２２の表面温度、ＨＤＤ２６の表面温度、及びＦＡＮ２８の回転数それぞれの正常限界値が格納される。ここでいう正常限界値とは、異常検出部２２ａが異常と判定するための閾値として設定される値をいう。
【００２３】
ここで、前述した異常検出機能とは、異常検出部２２ａがネットワークＩ／Ｆ部２１で取得されるＬＡＮ使用率、制御部２２の表面温度、及びＨＤＤ２６の表面温度それぞれについての異常状態を検出する機能をいう。また、電源制御機能とは、異常検出部２２ａからの要求に応じて電源制御部２２ｂが電源部２７のスタンバイ／オン切換を制御する機能をいう。
【００２４】
次に、本実施形態におけるネットワーク監視システムの動作を図７のフローチャートを併せ参照して説明する。なお、この動作説明においては、ネットワーク監視システムの動作中に映像監視記録装置１３−１に異常が発生し、映像監視記録装置１３−２に監視を受け継ぐ場合の動作について説明する。そして、通常動作として、映像監視記録装置１３−１及び１３−２は、それぞれ第１及び第２カメラグループから供給される符号化された映像データをネットワークＩ／Ｆ部２１で入力して、制御部２２の制御に基づいてＨＤＤ２６に記録しているものとする。
【００２５】
映像監視記録装置１３−１において、異常検出部２２ａは、制御部２２の表面温度、ＦＡＮ２８の回転数、及びＨＤＤ２６の表面温度を検出して（ステップＳ７０１）、それらの検出データとＦｌａｓｈ  ＲＯＭ２５に記憶されている図６の正常限界値とをそれぞれ比較していずれか１つにでも異常が発生していないか判定する（ステップＳ７０２）。
【００２６】
異常が検出された場合は、Ｆｌａｓｈ  ＲＯＭ２５に格納されている図４（ａ）の映像監視記録装置１３−２の装置識別子と装置ＩＰアドレスとを読出して、この装置ＩＰアドレスに対してＬＡＮ１２の使用率を取得するための要求信号（ネットワーク使用率要求信号）を送信出する（ステップＳ７０３）。
【００２７】
一方、映像監視記録装置１３−２は、通常動作を実行しながら映像監視記録装置１３−１からの入力信号を待っており（ステップＳ７０４）、ネットワーク使用率要求信号を受信した場合は、映像監視記録装置１３−２の制御部２２、Ｆｌａｓｈ  ＲＯＭ２５から第２カメラグループに属するネットワークカメラ１１−５〜１１−８それぞれのフレームレート（図３（ｂ））に対応するＬＡＮ使用率の合計を図８のように取得して（ステップＳ７０５）、ネットワーク使用率応答信号として映像監視記録装置１３−１に送信する（ステップＳ７０６）。
【００２８】
映像監視記録装置１３−１の処理の説明に戻り、映像監視記録装置１３−２からの入力信号を受信すると（ステップＳ７０７）、制御部２２は映像監視記録装置１３−２のＬＡＮ使用率を取得する（ステップＳ７０８）。
【００２９】
次に、制御部２２は、Ｆｌａｓｈ  ＲＯＭ２５に記憶されている図３（ａ）の第１カメラグループに属する各ネットワークカメラ１１−１〜１１−４のフレームレートと、同様に記憶されている図５の各フレームレートに対応付けられたＬＡＮ使用率とに基づいて映像監視記録装置１３−１全体のＬＡＮ使用率を算出し、この算出されたＬＡＮ使用率とステップＳ７０８において取得された映像監視記録装置１３−２からのＬＡＮ使用率との合計（使用率総計）を、予めネットワーク監視システム全体のネットワーク使用限界率と比較してネットワークカメラ１１−１〜１１−８のフレームレートを調整するか否かを判定する（ステップＳ７０９）。すなわち、制御部２２は、監視映像記録装置１３−１全体のＬＡＮ使用率と監視映像記録装置１３−２からのＬＡＮ使用率との使用率総計がネットワーク使用限界率を超えている場合は、異常が生じている映像監視記録装置１３−１が制御している第１カメラグループのフレームレートを調整すると判定する。
【００３０】
そして、フレームレートの調整が必要と判定された場合は、第１カメラグループのフレームレートを調整する（ステップＳ７１０）。具体的には、制御部２２は、Ｆｌａｓｈ  ＲＯＭ２５に記憶されている図３（ａ）の第１カメラグループのフレームレートと優先順位とを参照して、最も優先順位の低いネットワークカメラのフレームレートを予め決定されているレート数分下げてＦｌａｓｈ  ＲＯＭ２５に記憶する。本実施例においては、優先順位４のネットワークカメラに対してフレームレート５Ｆｐｓを３Ｆｐｓに下げる処理を実行する。このようにして、ステップＳ７０９及びＳ７１０によって、優先順位の低い順から段階的にネットワークカメラのフレームレートを下げていき、全体的なフレームレートを調整する。
【００３１】
そして、ステップＳ７０９においてフレームレートの調整が必要ない（又は終了した）と判定された場合は、制御部２２は、第１カメラグループの制御を映像監視記録装置１３−２に承継させるために、図３（ａ）の第１カメラグループ固有の情報（カメラＩＰアドレスと調整後のフレームレートとを含む。）を含めたカメラ制御受継要求信号を映像監視記録装置１３−２に対して送信する（ステップＳ７１１）。
【００３２】
一方、映像監視記録装置１３−２は、このカメラ制御受継要求信号を受信すると（ステップＳ７１２）、この信号から第１カメラグループ固有の情報を取得してＦｌａｓｈ  ＲＯＭ２５に記憶されている図３（ｂ）の第２カメラグループ固有の情報に追加するとともに、ネットワークカメラ１１−１〜１１〜８に対してフレームレートの変更設定を実行する（ステップＳ７１３）。その際に、制御部２２は、優先順位が重複しないように振り直す処理を実行する。
【００３３】
そして、映像監視記録装置１３−２は、ネットワークカメラ１１−１〜１１−８に対するフレームレートの変更処理開始後に、カメラ制御受継応答信号を映像監視記録装置１３−１に対して送信する（ステップＳ７１４）。
【００３４】
再び、映像監視記録装置１３−１の処理の説明に戻り、映像監視記録装置１３−２からのカメラ制御受継応答信号を受信すると（ステップＳ７１５）、制御部２２は、第１カメラグループからのパケットデータの入力を停止して接続を切断する（ステップＳ７１６）。そして、電源制御部２２ｂは、制御プログラムの終了処理を実行したのち、電源部２７に対してスタンバイ状態への切換処理を実行する（ステップＳ７１７）。
【００３５】
このようにして、異常が発生した映像監視記録装置１３−１の電源をスタンバイ状態に移行させることにより、そのときの状態をＦｌａｓｈ  ＲＯＭ２５に記憶させて装置を停止させることができるので、のちのメンテナンス時における状況確認に利便性を発揮する。また、ＬＡＮ１２との接続を切り離すため、ＬＡＮ１２へのトラフィックを軽減することができる。
【００３６】
以上、詳述したように、本実施形態によるネットワーク監視システムによれば、異常が発生した映像監視記録装置の運転を正常動作中の別の映像監視記録装置にネットワーク監視システム全体のＬＡＮ使用率を破綻させることなく承継させることができるので、映像監視記録装置のバックアップ専用装置を設置するといった冗長的な構成をとることなく経済的なシステムの構築が可能である。
【００３７】
そして、ＨＤＤへの符号化映像データの記録が不能になり得る異常状態、すなわち制御部やＨＤＤの表面温度やＦＡＮの回転数正常限界値を超えた状態になった段階でリカバリモードに移行することにより、装置切換時の映像データの欠損を生ずることなく運転を切換えることが可能である。
【００３８】
なお、本実施形態においては、ネットワークカメラを８台、そして映像監視記録装置を２台として説明したが、台数はこれらに限定されないことはいうまでもない。また、Ｆｌａｓｈ  ＲＯＭ２５は、これ以外にもデータ書換え可能な不揮発性メモリを用いてもよい。
【図面の簡単な説明】
【００３９】
【図１】本発明の実施形態における、映像監視記録装置を含んだネットワーク監視システムのシステム構成を示した図である。
【図２】本発明の実施形態における、映像監視記録装置の内部構成を示した図である。
【図３】Ｆｌａｓｈ  ＲＯＭに記憶される、映像監視記録装置固有の情報の例である。
【図４】Ｆｌａｓｈ  ＲＯＭに記憶される、他の映像監視記録装置の固有の情報の例である。
【図５】Ｆｌａｓｈ  ＲＯＭに記憶される、フレームレートに対するネットワークカメラ単体におけるＬＡＮ使用率のデータの例である。
【図６】Ｆｌａｓｈ  ＲＯＭに記憶される、制御部の表面温度、ＨＤＤの表面温度、及びＦＡＮの回転数それぞれの正常限界値の例である。
【図７】本発明の実施形態における、ネットワーク監視システムの動作を説明するためのフローチャートの例である。
【図８】ネットワーク使用率応答信号に含まれるＬＡＮ使用率を示した例である。
【図９】従来のネットワーク監視システムの概略構成例を示した図である。
【符号の説明】
【００４０】
１１−１〜１１−８  ネットワークカメラ
１２  ＬＡＮ
１３−１，１３−２  映像監視記録装置
２１  ネットワークＩ／Ｆ部
２２  制御部
２２ａ  異常検出部
２２ｂ  電源制御部
２３  ＲＯＭ
２４  ＲＡＭ
２５  Ｆｌａｓｈ  ＲＯＭ
２６  ＨＤＤ
２７  電源部
２８  ＦＡＮ
２９  データバス
【図１】
2007174501.tif 000003
【図２】
2007174501.tif 000004
【図３】
2007174501.tif 000005
【図４】
2007174501.tif 000006
【図５】
2007174501.tif 000007
【図６】
2007174501.tif 000008
【図７】
2007174501.tif 000009
【図８】
2007174501.tif 000010
【図９】
2007174501.tif 000011